(57)【特許請求の範囲】
【請求項１】
隣接する一対の躯体間に相互に近接および離反する方向に伸縮自在に装着される伸縮継手装置において、
前記一対の躯体のうち、一方の躯体の第１の躯体本体には、この第１の躯体本体の表面に沿って前記一対の躯体のうち、他方の躯体に向けて延びる第１のプレート部材が設けられ、前記第１の躯体本体と前記第１のプレート部材との間には収容空間が形成されており、
前記他方の躯体の第２の躯体本体には、この第２の躯体本体の表面に沿って前記一方の躯体に向けて延びる第２のプレート部材が設けられ、前記第２のプレート部材は前記第１のプレート部材の表面上を移動自在に装着されており、
前記第１の躯体本体と前記第２の躯体本体との間には、複数のリンクが複数のピンによって相互に角変位可能に連結されて伸縮自在であるパンタグラフ構造体が介在され、各ピンは、第１および第２のプレート部材に垂直であり、前記パンタグラフ構造体の一端部が前記第１の躯体本体に連結され、その他端部が前記第２の躯体本体に連結されており、
前記パンタグラフ構造体には、前記第２のプレート部材を支持するための支持柱がピンに平行に装着され、前記支持柱は第１の躯体本体と第２のプレート部材との間に摺動自在に介在され、
前記支持柱には補助プレートが前記収容空間から出没自在に連結されていることを特徴とする伸縮継手装置。
【請求項２】
隣接する一対の躯体間に相互に近接および離反する方向に伸縮自在に装着される伸縮継手装置において、
前記一対の躯体のうち、一方の躯体の第１の躯体本体には、この第１の躯体本体の表面に沿って前記一対の躯体のうち、他方の躯体に向けて延びる第１のプレート部材が設けられ、前記第１の躯体本体と前記第１のプレート部材との間には収容空間が形成されており、
前記他方の躯体の第２の躯体本体には、この第２の躯体本体の表面に沿って前記一方の躯体に向けて延びる第２のプレート部材が設けられ、前記第２のプレート部材は前記第１のプレート部材の表面上を移動自在に装着されており、
前記第１の躯体本体と前記第２の躯体本体との間には、複数のリンクが複数のピンによって相互に角変位可能に連結されて伸縮自在であるパンタグラフ構造体が介在され、各ピンは、第１および第２のプレート部材に平行であり、前記パンタグラフ構造体の一端部が前記第１の躯体本体に連結され、その他端部が前記第２の躯体本体に連結されており、
前記パンタグラフ構造体には、前記第２のプレート部材を支持するための支持柱がピンに垂直にかつパンタグラフの伸縮方向に垂直にリンクに保持されて装着され、前記支持柱は第２のプレート部材のパンタグラフ構造体側の表面を摺動自在に支持し、
前記支持柱には補助プレートが前記収容空間から出没自在に連結されていることを特徴とする伸縮継手装置。
【請求項３】
前記補助プレートの端部には、前記第１の躯体本体に対する相対的移動をスムーズにするための支持ボール体が装着され、また前記支持柱の端部には、第２のプレート部材に対する相対的移動をスムーズにするためのボール体が装着されていることを特徴とする請求項１または２記載の伸縮継手装置。
【発明の詳細な説明】
【０００１】
【発明の属する技術分野】
本発明は、一対の躯体間に伸縮自在に装着される伸縮継手装置に関する。
【０００２】
【従来の技術】
一対の躯体間に配設される伸縮継手装置として種々の形態のものが提案され、実用に供されている。この種の伸縮継手装置の一例として、たとえば実開平５−４７１０８号公報に開示されたものが存在する。この公知の伸縮継手装置は、一対の躯体にそれぞれ設けられたカバー体と、これらカバー体間を覆うカバープレートとを備えている。各カバー体はその内部に収納空間を規定し、カバープレートの両端部が対応するカバー体の収納空間に収納、引出し自在に装着されている。このような伸縮継手装置においては、一対の躯体が相対的に近接する方向に移動すると、カバープレートの両端部がカバー体の収納空間にさらに収納される。
【０００３】
一対の躯体が相対的に離隔する方向に移動すると、カバープレートの両端部がカバー体の収納空間から引出され、このようにして一対の躯体間の相対的変位が吸収される。
【０００４】
【発明が解決しようとする課題】
この種の伸縮継手装置では、カバープレートの両端部はカバー体に形成された開口を通して収納空間内に挿入され、カバープレートの両端部はカバー体の開口部にて単に支持されているのみである。それ故に、このような伸縮継手装置は、カバープレートに大きな荷重が作用しない個所、たとえば一対の躯体の外壁間の間隙を覆うものとして適用することができるが、カバープレートに大きな荷重が作用する個所、たとえば一対の躯体の床間の間隙を覆うものとしては強度的に問題が生じる場合がある。
【０００５】
本発明の目的は、大きな荷重にも充分に耐え、床面間の間隙を覆うために好都合に適用することができる伸縮継手装置を提供することである。
【０００６】
【課題を解決するための手段】
本発明は、隣接する一対の躯体間に相互に近接および離反する方向に伸縮自在に装着される伸縮継手装置において、
前記一対の躯体のうち、一方の躯体の第１の躯体本体には、この第１の躯体本体の表面に沿って前記一対の躯体のうち、他方の躯体に向けて延びる第１のプレート部材が設けられ、前記第１の躯体本体と前記第１のプレート部材との間には収容空間が形成されており、
前記他方の躯体の第２の躯体本体には、この第２の躯体本体の表面に沿って前記一方の躯体に向けて延びる第２のプレート部材が設けられ、前記第２のプレート部材は前記第１のプレート部材の表面上を移動自在に装着されており、
前記第１の躯体本体と前記第２の躯体本体との間には、複数のリンクが複数のピンによって相互に角変位可能に連結されて伸縮自在であるパンタグラフ構造体が介在され、各ピンは、第１および第２のプレート部材に垂直であり、前記パンタグラフ構造体の一端部が前記第１の躯体本体に連結され、その他端部が前記第２の躯体本体に連結されており、
前記パンタグラフ構造体には、前記第２のプレート部材を支持するための支持柱がピンに平行に装着され、前記支持柱は第１の躯体本体と第２のプレート部材との間に摺動自在に介在され、
前記支持柱には補助プレートが前記収容空間から出没自在に連結されていることを特徴とする伸縮継手装置である。
【０００７】
本発明に従えば、第１の躯体本体には第１のプレート部材が設けられ、第１の躯体本体に隣接する第２の躯体本体には第２のプレート部材が設けられ、この第２のプレート部材は第１のプレート部材の表面上を移動可能になっている。また、第１の躯体本体と第２の躯体本体との間にはパンタグラフ構造体が介在され、このパンタグラフ構造体には、第２のプレート部材を支持するための支持柱が設けられている。また、第１の躯体本体と第１のプレート部材との間には収容空間が規定され、この収容空間に補助プレートが配設され、この補助プレートが支持柱に連結されている。
【０００８】
したがって一対の躯体が近接する方向に相対的に移動すると、パンタグラフ構造体が収縮し、これによって支持柱が移動するとともに補助プレートが上記収納空間に収納される方向に移動し、第２プレート部材の基部は支持柱によって支持されるとともに、この第２のプレート部材の先端部は第１のプレート部材に支持される。また、一対の躯体が離隔する方向に相対的に移動すると、パンタグラフ構造体が伸長し、これによって支持柱が移動するとともに補助プレートが上記収容空間から引出される方向に移動し、第２のプレート部材の先端部は支持柱によって支持されるとともに、補助プレートは第１のプレート部材と第２のプレート部材との間の間隙を覆う。
【０００９】
したがって一対の躯体の相対的移動がパンタグラフ構造体の伸縮とこれに伴う補助プレートの収納、引出し移動によって吸収される。また、このようなパンタグラフ構造体の伸縮運動によって支持柱が移動するので、第２のプレート部材の支持状態が維持され、第２のプレート部材を確実に支持することができる。さらに支持柱の移動に伴う補助プレートの移動によって、第１のプレート部材と第２のプレート部材との間に生成される間隙は、補助プレートによって覆うことができる。
【００１０】
また本発明は、隣接する一対の躯体間に相互に近接および離反する方向に伸縮自在に装着される伸縮継手装置において、
前記一対の躯体のうち、一方の躯体の第１の躯体本体には、この第１の躯体本体の表面に沿って前記一対の躯体のうち、他方の躯体に向けて延びる第１のプレート部材が設けられ、前記第１の躯体本体と前記第１のプレート部材との間には収容空間が形成されており、
前記他方の躯体の第２の躯体本体には、この第２の躯体本体の表面に沿って前記一方の躯体に向けて延びる第２のプレート部材が設けられ、前記第２のプレート部材は前記第１のプレート部材の表面上を移動自在に装着されており、
前記第１の躯体本体と前記第２の躯体本体との間には、複数のリンクが複数のピンによって相互に角変位可能に連結されて伸縮自在であるパンタグラフ構造体が介在され、各ピンは、第１および第２のプレート部材に平行であり、前記パンタグラフ構造体の一端部が前記第１の躯体本体に連結され、その他端部が前記第２の躯体本体に連結されており、
前記パンタグラフ構造体には、前記第２のプレート部材を支持するための支持柱がピンに垂直にかつパンタグラフの伸縮方向に垂直にリンクに保持されて装着され、前記支持柱は第２のプレート部材のパンタグラフ構造体側の表面を摺動自在に支持し、
前記支持柱には補助プレートが前記収容空間から出没自在に連結されていることを特徴とする伸縮継手装置である。
【００１１】
本発明に従えば、前述と同様な作用が達成される。前述の伸縮継手装置では、パンタグラフ構造体のリンクを連結する複数のピンは、第１および第２のプレート部材に垂直であり、支持柱は、それらのピンに平行であり、したがって第２のプレート部材に作用する重量を、第１の躯体本体で受けることができるようにするために、支持柱は、第１の躯体本体と第２のプレート部材との間に介在される。これに対して、本発明では、パンタグラフ構造体のピンは、第１および第２のプレート部材に平行であり、支持柱はピンに垂直であってかつパンタグラフの伸縮方向に垂直にリンクに保持され、したがってパンタグラフ構造体の強度を向上することができ、パンタグラフ構造体によって第２のプレート部材に作用する重量を支持することができる。これによって本発明では支持柱を第１の躯体本体で支持する必要はなくなり、パンタグラフ構造体の下方の構造を簡略化することができる。
【００１２】
また本発明は、前記補助プレートの端部には、前記第１の躯体本体に対する相対的移動をスムーズにするための支持ボール体が装着され、また前記支持柱の端部には、第２のプレート部材に対する相対的移動をスムーズにするためのボール体が装着されていることを特徴とする。
【００１３】
本発明に従えば、補助プレートの端部には支持ボール体が、また支持柱の両端部にはボール体が設けられているので、パンタグラフ構造体の伸縮に伴う補助プレートおよび支持柱の移動をスムーズに行うことができる。
【００１４】
【発明の実施の形態】
以下、添付図面を参照して、本発明に従う伸縮継手装置２の実施の一形態について説明する。図１は本発明に従う伸縮継手装置２の一実施形態を備えた一対の躯体間の構造を示す断面図であり、図２は図１の伸縮継手装置２におけるパンタグラフ構造体およびそれに関連する構成の一部を示す正面図であり、図３は図２のパンタグラフ構造体を示す斜視図である。
【００１５】
図１を参照して、図示の伸縮継手装置２は、隣接して配置される一対の躯体４，６の間に配設されている。建造物の如き躯体４（図１において右側に位置する）は地面７に建造される第１の躯体本体８を備えている。この第１の躯体本体８は、間隔を置いて設けられた複数本の支柱１０と、これら複数本の支柱１０を接続する複数本の横フレーム１２，１４とを備え、これら支柱１０および横フレーム１２，１４によって第１の躯体本体８の建造構造体を構成する。図１においては、第１の躯体本体８の一端部に配置された２本の支柱１０ａ，１０ｂを示し、支柱１０ａには紙面に垂直な方向に延びる横フレーム１２ａが固定され、他方の支柱１０ｂには紙面に垂直な方向に延びる横フレーム１２ｂが固定され、横フレーム１２ｂの上面に横フレーム１４が固定されている。横フレーム１４の一端部は横フレーム１２ｂに固定され、その他端部は図１において左方向に延び、図示していない横フレームに固定されている。この横フレーム１４の両端部には、さらに、紙面に垂直な方向に延びる横フレーム１２ｃ，１２ｄが固定されている。横フレーム１４は一対の支柱１０ａ，１０ｂの中間部まで延び、この横フレーム１４が存在する部位は、支柱１０ａが配置された部位よりも上方に突出している。
【００１６】
このような第１の躯体本体４には、伸縮継手装置２の第１のプレート部材２２が設けられている。さらに説明すると、第１の躯体本体４の一対の横フレーム１２ｃ，１２ｄ間には下プレート１６が配設され、下プレート１６の両端部が横フレーム１２ｃ，１２ｄに固定されている。下プレート１６の一端部は上方に折曲されている。この下プレート１６の上方には上プレート１８が配設されている。上プレート１８の一端部は下方に折曲られており、下プレート１６の折曲部と上プレート１８の折曲部とが連結ボルト２０によって連結されている。上プレート１８の他端部には上方に突出する折曲突部１８ａが設けられている。また、上プレート１８の表面に第１のプレート部材２２が取付けられており、この第１のプレート部材２２の上面は上記折曲突部１８ａと実質上同一面を規定する。第１のプレート部材２２は、第１の躯体本体８のたとえば一階部分の床面の一部を構成する。
【００１７】
この第１の躯体本体８には、上記一階部分の床面を構成するプレート部材２４が設けられ、第１のプレート部材２２およびプレート部材２４は、実質上平坦な床面を規定する。第１の躯体本体８にはこのようにして第１のプレート部材２２が設けられているので、第１の躯体本体８と第１のプレート部材２２との間には、図１において左右方向に延びる細長い収容空間２６が規定され、この実施形態では下プレート１６と上プレート１８との間に形成されている。
【００１８】
建造物の如き他方の躯体６は、図１において左側に位置し、この躯体６は、地面７に建造される第２の躯体本体２８を備えている。この第２の躯体本体２８は、間隔を置いて設けられた複数本の支柱（図示せず）および複数本の可動支柱３０と、これら複数本の支柱および可動支柱３０を接続する複数本の横フレーム３２とを備え、これら支柱、可動支柱３０および横フレーム３２によって第２の躯体本体２８の建造構造体を構成する。図１においては、第２の躯体本体２８の右端部に配置された２本の可動支柱３０ａ，３０ｂを示し、可動支柱３０ａ，３０ｂの下端部にはキャスタ体３４が取付けられている。キャスタ体３４は、水平な回転軸線を有する車輪を回転自在に支持するブラケットが、車輪の回転軸線から水平方向にずれた鉛直の軸線まわりに回転可能にして、可動支柱３０ａ，３０ｂの前記下端部に設けられる構成を有する。これら可動支柱３０ａ，３０ｂの間には横フレーム３２ａが固定されている。横フレーム３２ａの一端部には、紙面に垂直な方向に延びる横フレーム３２ｂが固定されている。
【００１９】
このような第２の躯体本体２８には、伸縮継手装置２の第２のプレート部材４０が取付けられている。横フレーム３２ｂにはＬ字形状の取付ブラケット３４が複数個（図１において１個示す）取付けられる。取付ブラケット３４には、ボルト３６およびナット３８によって第２のプレート部材４０が取付けられている。第２のプレート部材４０はアルミニウム、ステンレス鋼などの金属製のプレートから構成され、その表面には塩化ビニルから形成されたシート４２が貼付されている。第２の躯体本体２８には、また、その一階部分の床面を構成するプレート部材４４が設けられており、第２のプレート部材４０は、第２の躯体本体２８の上記プレート部材４４の端部から第１の躯体本体８の第１のプレート部材２２に向けて延びている。
【００２０】
このように構成されているので、図１に示すとおり、通常、第２プレート部材４０の先端部は第１の躯体本体８の上プレート１８の折曲突部１８ａに支持され、第２のプレート部材４０は、第１の躯体本体８の第１のプレート部材２２と第２の躯体本体２８のプレート部材４４との間隙を覆い、使用者はこの第２のプレート部材４０の上面（床面）を通って一対の躯体４，６間を移動することができる。この伸縮継手装置２では、第２のプレート部材４０の先端部が上プレート１８の折曲突部１８ａに支持されているので、一対の躯体４，６が相対的に近接する方向に移動したとき、後述するとおり、第２プレート部材４０は第１のプレート部材２２の表面上を相対的に移動することができ、これによって第２のプレート部材４０の変形、損傷を防止することができる。
【００２１】
この伸縮継手装置２は、さらに、一対の躯体４，６間に介在されるパンタグラフ構造体４６を備えている。図示のパンタグラフ構造体４６は、図２および図３に示すとおり、相互に角変位して旋回自在に連結された４本のリンクである連結フレーム４８，５０，５２，５４から構成されている。連結フレーム４８〜５４は、断面コ字状の金属製フレームである溝形鋼などから構成され、一対の隣接する連結フレーム４８，５０の一端部は連結ピン５６を介して相互に旋回自在に連結され、この連結ピン５６はさらに取付フレーム５８に旋回自在に連結されている。また、一対の隣接する連結フレーム５２，５４の一端部は連結ピン６０を介して旋回自在に連結され、この連結ピン６０はさらに取付フレーム６２に旋回自在に連結されている。さらに、一対の連結フレーム４８，５０の他端部と一対の連結フレーム５２，５４の他端部は、それぞれ、連結ピン６４，６６を介して旋回自在に連結されている。
【００２２】
連結フレーム５０〜５４の相対的旋回をスムーズにするために、これらの間にワッシャ５５（図１および図２参照）が介在されている。図１に示すとおり、一方の取付フレーム５８は第２の躯体本体２８の横フレーム３２ｂに取付けられ、他方の取付フレーム６２は第１の躯体本体８の横フレーム１２ｃに固定されている。このようなパンタグラフ構造体４６は、一対の躯体４，６間に、図１の紙面に垂直方向に間隙をあけて、２組以上設けるのが好ましく、複数個設けることによって連結ピン５６，６０を中心とする旋回動を効果的に防止することができる。このように構成されているので、パンタグラフ構造体４６は圧縮力が作用すると収縮し、引張力が作用すると伸長し、一対の躯体４，６の相対的変位に応じて伸縮する。パンタグラフ構造体４６に、たとえば収縮（または伸長）方向に弾性的に付勢するばね部材を隣接する連結フレーム４８〜５４間に設けることができる。
【００２３】
この実施の形態では、一対の連結フレーム５０，５２の間に中間フレーム６８が配設されている。中間フレーム６８の一端部は連結ピン７０を介して連結フレーム４８の長手方向中央部に旋回自在に連結され、またその他端部は連結ピン７２を介して、連結フレーム４８に対向する連結フレーム５４の長手方向中央部に旋回自在に連結されている。中間フレーム６８の長手方向中央部には、さらに、支持柱７４が装着されている。支持柱７４は、中間フレーム６８を貫通して図１において上下方向に延びており、その一端部（下端部）が第１の躯体本体８の一部表面に作用し、その他端部（上端部）が第２の躯体本体２８に取付けられた第２のプレート部材４０に作用し、これによって第２のプレート４０を支持する。
【００２４】
連結フレーム４８，５４は相互に平行である。連結フレーム５０，５２および中間フレーム６８は相互に平行である。連結ピン５６，６０，６４，６６および連結ピン７０，７２の軸線は、平行四辺形の頂点位置にあり、これらのすべての連結ピン５６，６０，６４，６６，７０，７２は、第１および第２のプレート部材２２，４０に垂直であり、支持柱７４に平行である。支持柱７４は、第１および第２のプレート部材２２，４０に垂直である。連結フレーム４８，５０，５２，５４および中間フレーム６８は、前述のようにたとえば溝形鋼であり、それらのウエブの両側のフランジを、連結ピン５６，６０，６４，６６，７０，７２が挿通して連結される。
【００２５】
この支持柱７４は、中間フレーム６８に代えて、連結フレーム５０〜５４のいずれかに取付けることができる。このように構成した場合に中間フレーム６８を省略することができる。
【００２６】
この図示の実施の形態では、第１の躯体本体８の横フレーム１２ａと横フレーム１４との間には下支持プレート７８が設けられている。支持柱７４の一端部は、この下支持フレーム７８に支持され、パンタグラフ構造体４６が収縮したときにも支持柱７４を確実に支持するように、下支持プレート７８の一端部は横フレーム１２ａを越えて第２の躯体本体２８に向けて突出している。この支持柱７４の両端部にはボール体８０，８２が回転自在に装着されている。したがって、支持柱７４の一端部はボール体８０を介して下支持プレート７８に支持され、その他端部はボール体８２を介して第２のプレート部材４０を支持する。パンタグラフ構造体４６が伸縮した際にはボール体８０，８２の作用によって支持柱７４は下支持プレート７８および第２のプレート部材４０に対してスムーズに移動する。
【００２７】
第１の躯体本体８と第１のプレート部材２２との間の収容空間２６には、補助プレート８４が収納、引出し自在に配設されている。補助プレート８４はアルミニウム、ステンレス鋼などの金属製のプレートから構成され、収容空間２６から突出する一端部が支持柱７４に連結されている。
【００２８】
再び図２を参照して、支持柱７４の上端部には取付スリーブ８６が回転自在に挿通され、この取付スリーブ８６に設けられた取付突部８８に固定用ボルト９０およびナット９２によって補助プレート８４の一端部が連結されている。また、補助プレート８４の他端部には、支持ボールユニット９４が取付けられている。支持ボールユニット９４は補助プレート８４の下面に装着されたユニットハウジング９６を有し、このユニットハウジング９６に支持ボール体９８が回転自在に装着されている。
【００２９】
このように構成されているので、補助プレート８４の他端部は支持ボールユニット９４を介して第１の躯体本体８の下プレート１６に支持され、支持ボール体９８が回転することによって補助プレート８４は下プレート１６上をスムーズに移動することができる。補助プレート８４の上面には合成樹脂（たとえばテフロン（商品名）などのフッ素樹脂）製シート１００が貼付されており、したがって上プレート１８に接触した場合にも上プレート１８に対する補助プレート８４の相対的移動がスムーズとなる。
【００３０】
支持柱７４は、パンタグラフ構造体４６の中心部に設けられていれば、パンタグラフ構造体４６の図１〜図３の左右方向である伸縮方向の伸縮量の１／２の変位量を移動する。支持柱７４の位置を、中間フレーム６８の他の任意の位置にすることによってまた支持柱７４が設けられた中間フレーム６８の位置を任意に定めることによって、パンタグラフ構造体の伸縮量に対応した支持柱７４の変位量を、変更することができる。
【００３１】
この実施の形態では、さらに、下プレート１６の他端部にも支持ボールユニット１０２が設けられている。支持ボールユニット１０２は、補助プレート８４に装着された支持ボールユニット９４と実質上同一の構成であり、ユニットハウジング１０４が下プレート１６に固定され、ユニットハウジング１０４に回転自在に装着された支持ボール体１０６が補助プレート８４の中間部を支持している。このように支持ボールユニット１０２を設けることによって、この補助プレート８４を一層確実に支持することができる。なお、支持ボールユニット９４，１０２は、補助プレート８４の大きさ等に応じて適宜の間隔を置いて複数個設けることができる。
【００３２】
上述した伸縮継手装置２は、通常、図１に示す状態に保持される。このような状態においては、第２のプレート部材４０の先端部が第１の躯体本体８の上プレート１８の折曲突部１８ａに支持され、支持柱７４の一端部は下支持プレート７８の図１において左右方向略中央部に位置する。その他端部は第２プレート部材４０の図１において左右方向略中央部を支持する。また補助プレート８４の他端部側が第１の躯体本体８の収容空間２６に収容されている。
【００３３】
このような状態から一対の躯体４，６が相互に近接する方向に相対的に移動すると、伸縮継手装置２は、図４に示す状態となる。すなわち、一対の躯体４，６が近接する方向に変位すると、パンタグラフ構造体４６が収縮する。したがって支持柱７４が第１および第２の躯体本体８，２８に対して相対的に近接する方向に移動し、支持柱７４の相対的移動によって補助プレート８４の大部分は収容空間２６に収容される。また、第２の躯体本体２８が第１の躯体本体８に近づくことによって、第２のプレート部材４０の先端部は第１のプレート部材２２の表面まで移動し、この先端部は第１のプレート部材２２によって支持される。したがって、第２のプレート部材４０および補助プレート８４は衝突することなく、所要のとおりに移動し、これらの破損が防止される。このとき、支持柱７４は第１および第２の躯体本体８，２８の間に位置して第２のプレート部材４０の基部を支持する。したがって、第２のプレート部材４０は、第１のプレート部材２２、支持柱７４および取付ブラケット３４によって確実に支持される。
【００３４】
図１に示す状態から一対の躯体が相互に離隔する方向に相対的に移動すると、伸縮継手装置２は、図５に示す状態に保持される。すなわち、一対の躯体４，６が近接する方向に離隔すると、パンタグラフ構造体４６が伸長する。したがって支持柱７４が第１および第２の躯体本体８，２８に対して相対的に離隔する方向に移動し、支持柱７４の相対的移動によって補助プレート８４は収容空間２６から引出され、その他端部に装着された支持ボールユニット９４が下プレート１６に装着された支持ボールユニット１０２に近接する位置まで移動される。また、第２の躯体本体２８が第１の躯体本体８から離れることによって、第２のプレート部材４０の先端部は第１のプレート部材２２から離れ、これによって生成される間隙、換言すると第２のプレート部材４０と第１のプレート部材２２との間の間隙は、収容空間２６から引出された補助プレート８４によって覆われる。したがって、一対の躯体４，６が離反する方向に変位した場合、第１の躯体本体８の床面として作用するプレート部材２５と第２の躯体本体２８の床面として作用するプレート部材４４とは、第１のプレート部材２２、補助プレート８４および第２のプレート部材４０を介して両者を結ぶ通路が形成され、通行人の安全性が確保される。このとき、支持柱７４は第２のプレート部材４０の先端部に位置するので、この第２のプレート部材４０は支持柱７４および取付ブラケット１３４によって支持され、充分な支持強度を確保することができる。また、補助プレート８４の一端部は支持柱７４によって支持され、その他端部は支持ボールユニット９４，１０２によって支持されるので、この補助プレート８４についても充分な支持強度を確保することができる。
【００３５】
このような伸縮継手装置２は、たとえば、図６に示すとおりの一対の躯体間の間隙に設けることができる。図６に示す例では、一方の躯体４と他方の躯体６との間にクランク状の間隙２０２が形成されており、このクランク状の空間２０２を覆うように上述した伸縮継手装置２が設けられる。この図６の適用例では、伸縮継手装置２のパンタグラフ構造体４６は３組配設され、図６において上下方向に延びる間隙部２０２ａには、パンタグラフ構造体４６は図６において左右方向に伸縮自在に設けられ、また図６において左右方向に延びる間隙部２０２ｂ，２０２ｃには、パンタグラフ構造体４６は図６において上下方向に伸縮自在に設けられる。パンタグラフ構造体は、補助プレート８４が一体として動くように、同一方向、最小２組が必要で、図６の場合、この条件を満たす。
【００３６】
第２のプレート部材４０（図６では、図示省略）は、一対の躯体４，６間の間隙２０２を覆うようにクランク状に形成され、また、補助プレート８４は、一方の躯体４に設けられる収容空間２６に収容されるとともに、この間隙２０２の一部を覆うことができるようにクランク状に形成される。補助プレート８４には、支持ボールユニット９４がたとえば図６に一点鎖線で示すとおりに取付けられ、また下プレート１６（図６では図示省略）には、実線で示すとおりに支持ボールユニット１０２が取付けられる。
【００３７】
上述した構成の伸縮継手装置２をたとえば図６に示すとおりに設けることによって、一対の躯体４，６間の間隙２０２がクランク状であっても、このクランク状の間隙２０２を所要のとおりに覆うことができる。また一対の躯体４，６が図６において左右方向に、また図６において上下方向に相対的に近接または離隔する方向に移動してもこの相対的移動を所要とおりに吸収することができる。一対の躯体４，６が図６において左右方向に相対的に移動する場合、図６の上下方向中央のパンタグラフ組立体４６は伸縮するが、図６にて上下方向両側のパンタグラフ構造体４６は実質上伸縮することなく、取付フレーム５８，６２（図３参照）が相対的に移動するようになる。
【００３８】
以上、本発明に従う伸縮継手装置の実施の一形態について説明したが、本発明は上述の実施の形態に限定されるものではなく、本発明の範囲を逸脱することなく種々の変形、修正が可能である。
【００３９】
たとえば、図示の実施の形態では、補助プレート８４および下プレート１６に支持ボールユニット９４，１０２を設けているが、補助プレート８４を支持しながらスムーズに移動させることができる場合、これら支持ボールユニット９４，１０２のいずれか一方または双方を省略することができる。また、支持柱７４に設けたボール体８０，８２についても、スムーズな移動が可能な場合、これらのいずれか一方または双方を省略することができる。
【００４０】
図７は、本発明の実施の他の形態の伸縮継手装置１１２の縦断面図である。この実施の形態は、前述の図１〜図６に関連して述べた実施の形態に類似し、対応する部分には同一の参照符を付す。前述の実施の形態における伸縮継手装置２では、パンタグラフ構造体４６は、ほぼ水平面内で伸縮運動を行うように構成されたけれども、図７の実施の形態における伸縮継手装置１１２では、パンタグラフ構造体１１３は、ほぼ鉛直面内で伸縮運動する。パンタグラフ構造体１１３は、複数（たとえばこの実施の形態では５）の等長平行リンクである連結フレーム１１４と、それらの両端の平行リンクである連結フレーム１１５，１１６と、さらに前記複数の平行リンクである連結フレーム１１７とそれらの両端の連結フレーム１１８，１１９とを有し、第１および第２のプレート部材２２，４０に平行な水平軸線を有する連結ピン１２１，１２２，１２３によってピン結合され、平行四辺形を構成する。
【００４１】
図８は図７のパンタグラフ構造体１１３の一部を拡大して示す正面図であり、図９はパンタグラフ構造体１１３の一部を示す平面図である。パンタグラフ構造体１１３に含まれる連結フレーム１１４，１１７のうち、パンタグラフ構造体１１３の伸縮方向（図７および図８の左右方向）の中央位置にある連結フレーム１１４ａ，１１７ａは、連結ピン１２３ａによって連結され、この連結ピン１２３ａによって保持体１２５は、支持柱７４をパンタグラフ構造体１１３に連結する。連結フレーム１１４，１１７および連結ピン１２３を個別的に添字ａ，ｂなどを付して示し、総括的に添字ａを省略して示す。
【００４２】
支持柱７４が、連結ピン１２３に垂直に保たれるように、したがって第１および第２のプレート部材２２，４０に垂直な姿勢が保たれるようにするために、保持体１２５のほかに、連結ピン１２３ｂにもう１つの保持体１２６が連結されるとともに、ピン１２９によってピン結合された細長い板状のリンク１２７，１２８が、保持体１２５，１２６に連結される。
【００４３】
図１０は、保持体１２５付近の構成を示す縦断面図である。保持体１２５は、基本的に、取付片１３０と、上下一対の保持片１３１，１３２とが、ほぼＵ字状に組合わされて構成され、これらの取付片１３０と保持片１３１，１３２の側部は、補強片１３５，１３６に固定される。保持片１３１，１３２には、ナット１３７，１３８が固定され、支持柱７４の雄ねじ部１３３は、これらの保持片１３１，１３２を貫通し、ナット１３７，１３８によって固定される。取付片１３０には連結ピン１２３ａが角変位可能に挿通する。保持片１３１，１３２にはまた、ピン１３９が取付けられる。このピン１３９によって、リンク１２７が角変位可能に設けられる。保持片１３１，１３２およびリンク１２７間には、ピン１３９が挿通する筒状スペーサ１４０が介在される。支持柱７４の軸線と連結ピン１２３ａの軸線とピン１３９の軸線とは、図９の紙面である一平面内にあり、支持柱７４の軸線と連結ピン１２３ａの軸線とは垂直であり、支持柱７４の軸線とピン１３９の軸線とは、平行である。もう１つの保持体１２６もまた、保持体１２５に類似する構成を有し、対応する部分には同一の参照符に添字ａを付して示す。
【００４４】
図１１は、連結フレーム１１５，１１８が連結ピン１２３ｃによって連結された構成を示す平面図である。連結ピン１２３ｃはブラケット１４１によって第１の躯体本体８に取付けられる。また同様にして連結フレーム１１６，１１９は、連結ピン１２３ｂによってブラケット１４２を介して第２の躯体本体２８に取付けられる。支持柱７４の上端部に設けられたボール体８２は、第２のプレート部材４０の下面を支持する。
【００４５】
補助プレート８４は、前述の実施の形態と同様にして、下プレート１６に接触する支持ボールユニット１４３によって支持され、また第２の躯体本体４８の下プレート１６に取付けられた支持ボールユニット１４４によって補助プレート８４の下面が支持される。
【００４６】
図１２は、ボール体８２とその付近の拡大断面図である。ボール体８２は、ほぼ半球状の受け凹所１４５を有するユニットハウジング１４６に、ボール体８２よりも小径の多数の受けボール体１４７を介して受けられて支持される。こうしてボール体８２の回転が円滑に行われ、第２のプレート部材４０の下面との接触がスムーズとなる。このボール体８２との構成は、前述のボール体８０および支持ボールユニット９４，１０２に関しても同様である。
【００４７】
図１３は、支持ボールユニット１４３の拡大した側面図であり、図１４はその支持ボールユニット１４３の底面図である。支持ボールユニット１４３は、前述の図１２に示されるボール体８２に関連する構成に類似し、複数のボール体８２ａが、環状に配置される。これらのボール体８２ａを受けるユニットハウジング１４６ａは、ベース部材１４８に固定され、スラスト軸受１４９を介して前述のように補助プレート８４の他端部に設けられる。ボール体８２ａは、受けボール体１４７ａによって受けられる構成は、前述の構成と同様である。支持ボールユニット１４４は、上述の支持ボールユニット１４３と同様な構成を有し、上下逆に配置して用いられる。
【００４８】
また、図示の実施形態では、伸縮継手装置２を隣接する躯体４，６の床面間を接続する例に適用して説明したが、隣接する躯体２，４の壁面間等の間隙を覆うものとして用いることもできる。
【００４９】
【発明の効果】
本発明の請求項１記載の伸縮継手装置によれば、第１の躯体本体には第１のプレート部材が設けられ、第１の躯体本体に隣接する第２の躯体本体には第２のプレート部材が設けられ、この第２のプレート部材は第１のプレート部材の表面上を移動可能になっている。また、第１の躯体本体と第２の躯体本体との間にはパンタグラフ構造体が介在され、このパンタグラフ構造体には、第２のプレート部材を支持するための支持柱が設けられている。また、第１の躯体本体と第１のプレート部材との間には収容空間が規定され、この収容空間に補助プレートが配設され、この補助プレートが支持柱に連結されている。
【００５０】
したがって一対の躯体が近接する方向に相対的に移動すると、パンタグラフ構造体が収縮し、これによって支持柱が移動するとともに補助プレートが上記収納空間に収納される方向に移動し、第２プレート部材の基部は支持柱によって支持されるとともに、この第２のプレート部材の先端部は第１のプレート部材に支持される。また、一対の躯体が離隔する方向に相対的に移動すると、パンタグラフ構造体が伸長し、これによって支持柱が移動するとともに補助プレートが上記収容空間から引出される方向に移動し、第２のプレート部材の先端部は支持柱によって支持されるとともに、補助プレートは第１のプレート部材と第２のプレート部材との間の間隙を覆う。
【００５１】
したがって一対の躯体の相対的移動がパンタグラフ構造体の伸縮とこれに伴う補助プレートの収納、引出し移動によって吸収される。また、このようなパンタグラフ構造体の伸縮運動によって支持柱が移動するので、第２のプレート部材の支持状態が維持され、第２のプレート部材を確実に支持することができ、さらに支持柱の移動に伴う補助プレートの移動によって、第１のプレート部材と第２のプレート部材の間に生成される間隙もこれによって覆うことができる。
【００５２】
また本発明の請求項２記載の伸縮継手装置によれば、パンタグラフ構造体のピンは、第１および第２のプレート部材に平行であり、したがってそのパンタグラフ構造体の強度を向上することができ、パンタグラフ構造体によって第２のプレート部材に作用する重量を支持することができ、第１の躯体本体で第２のプレート部材に作用する重量を支持する必要がなくなり、しかも前述の発明と同様な効果を達成することができる。
【００５３】
また本発明の請求項３記載の伸縮継手装置によれば、補助プレートの端部には支持ボール体が、また支持柱の両端部にはボール体が設けられているので、パンタグラフ構造体の伸縮に伴う補助プレートおよび支持柱の移動をスムーズに行うことができる。
【図面の簡単な説明】
【図１】本発明に従う伸縮継手装置の実施の一形態を示す断面図である。
【図２】図１の伸縮継手装置におけるパンタグラフ構造体およびそれに関連する構成の一部を示す正面図である。
【図３】図２のパンタグラフ構造体を示す斜視図である。
【図４】一対の躯体が相互に近接する方向に移動したときの伸縮継手装置の状態を示す断面図である。
【図５】一対の躯体が相互に離隔する方向に移動したときの伸縮継手装置の状態を示す断面図である。
【図６】図１に示す伸縮継手装置の適用例を簡略的に示す平面簡略図である。
【図７】本発明の実施の他の形態の伸縮継手装置１１２の縦断面図である。
【図８】図７のパンタグラフ構造体１１３の一部を拡大して示す正面図である。
【図９】パンタグラフ構造体１１３の一部を示す平面図である。
【図１０】保持体１２５付近の構成を示す縦断面図である。
【図１１】連結フレーム１１５，１１８が連結ピン１２３ｃによって連結された構成を示す平面図である。
【図１２】ボール体８２とその付近の拡大断面図である。
【図１３】支持ボールユニット１４３の拡大した側面図である。
【図１４】支持ボールユニット１４３の底面図である。
【符号の説明】
２，１１２  伸縮継手装置
４，６  躯体
８  第１の躯体本体
２２  第１のプレート部材
２６  収容空間
２８  第２の躯体本体
４０  第２のプレート部材
４６，１１３  パンタグラフ構造体
７４  支持柱
８０，８２  ボール体
８４  補助プレート
９８  支持ボール体
【図１】
0003929173.tif 000002
【図２】
0003929173.tif 000003
【図３】
0003929173.tif 000004
【図４】
0003929173.tif 000005
【図５】
0003929173.tif 000006
【図６】
0003929173.tif 000007
【図７】
0003929173.tif 000008
【図８】
0003929173.tif 000009
【図９】
0003929173.tif 000010
【図１０】
0003929173.tif 000011
【図１１】
0003929173.tif 000012
【図１２】
0003929173.tif 000013
【図１３】
0003929173.tif 000014
【図１４】
0003929173.tif 000015